(57)【要約】ネットワーク監視システムは、リング構成されたネットワークの光伝送装置の情報を管理するサーバ装置と、光伝送装置の設定変更及び装置状況の確認を少なくとも行うクライアント装置とからなる。サーバ装置とクライアント装置との間で第１のプロトコルを使用し、サーバ装置と光伝送装置との間で第２のプロトコルを使用し、第１のプロトコルと第２のプロトコルとは互いに異なる。サーバ装置は、第１のプロトコルと第２のプロトコルとの相互変換を行う変換部を含む。
2009048163.tif 000002
【特許請求の範囲】
【請求項１】
リング構成されたネットワークの光伝送装置と、
該光伝送装置の情報を管理するサーバ装置と、
前記光伝送装置の設定変更及び装置状況の確認を少なくとも行うクライアント装置と、を備え、
前記サーバ装置と前記クライアント装置との間で第１のプロトコルを使用し、前記サーバ装置と前記光伝送装置との間で第２のプロトコルを使用し、前記第１のプロトコルと前記第２のプロトコルとがそれぞれ異なる、ネットワーク監視システムであって、
前記サーバ装置は、前記第１のプロトコルと前記第２のプロトコルとの相互変換を行う変換部を有することを特徴とする、ネットワーク監視システム。
【請求項２】
前記変換部は、前記クライアント装置から前記光伝送装置への第１のデータを前記第２のプロトコルにてカプセル化し、前記光伝送装置から前記クライアント装置への第２のデータを前記第１のプロトコルでカプセル化解除する、請求項１に記載のネットワーク監視システム。
【請求項３】
前記クライアント装置のＷｅｂブラウザは、前記光伝送装置へアクセスして、前記光伝送装置の詳細設定を行う、請求項１に記載のネットワーク監視システム。
【請求項４】
前記第１のプロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルを使用し、
前記第２のプロトコルとしてＯＳＩ（Ｏｐｅｎ  Ｓｙｓｔｅｍｓ  Ｉｎｔｅｒｃｏｎｎｅｃｔｉｏｎ）プロトコルを使用し、
ＴＣＰ／ＩＰ  ｏｖｅｒ  ＯＳＩを用いる、請求項１に記載のネットワーク監視システム。
【請求項５】
前記第１のプロトコルとしてＯＳＩ（Ｏｐｅｎ  Ｓｙｓｔｅｍｓ  Ｉｎｔｅｒｃｏｎｎｅｃｔｉｏｎ）プロトコルを使用し、
前記第２のプロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルを使用し、
ＯＳＩ  ｏｖｅｒ  ＴＣＰ／ＩＰを用いる、請求項１に記載のネットワーク監視システム。
【請求項６】
リング構成されたネットワークの光伝送装置の情報を管理するサーバ装置であって、
当該サーバ装置とクライアント装置との間の第１のプロトコルと、当該サーバ装置と前記光伝送装置との間の第２のプロトコルと、の相互変換を行う変換部を有することを特徴とする、サーバ装置。
【請求項７】
前記変換部は、前記クライアント装置から前記光伝送装置への第１のデータを前記第２のプロトコルにてカプセル化し、前記光伝送装置から前記クライアント装置への第２のデータを前記第１のプロトコルでカプセル化解除する、請求項６に記載のサーバ装置。
【請求項８】
前記第１のプロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルを使用し、
前記第２のプロトコルとしてＯＳＩ（Ｏｐｅｎ  Ｓｙｓｔｅｍｓ  Ｉｎｔｅｒｃｏｎｎｅｃｔｉｏｎ）プロトコルを使用し、
ＴＣＰ／ＩＰ  ｏｖｅｒ  ＯＳＩを用いる、請求項６に記載のサーバ装置。
【請求項９】
前記第１のプロトコルとしてＯＳＩ（Ｏｐｅｎ  Ｓｙｓｔｅｍｓ  Ｉｎｔｅｒｃｏｎｎｅｃｔｉｏｎ）プロトコルを使用し、
前記第２のプロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルを使用し、
ＯＳＩ  ｏｖｅｒ  ＴＣＰ／ＩＰを用いる、請求項６に記載のサーバ装置。
【請求項１０】
リング構成されたネットワークの光伝送装置と、該光伝送装置の情報を管理するサーバ装置と、前記光伝送装置の設定変更及び装置状況の確認を少なくとも行うクライアント装置と、からなるネットワークに用いられるネットワーク監視方法であって、
前記ネットワークは、前記サーバ装置と前記クライアント装置との間で第１のプロトコルを使用し、前記サーバ装置と前記光伝送装置との間で第２のプロトコルを使用し、前記第１のプロトコルと前記第２のプロトコルとがそれぞれ異なり、
前記方法は、前記サーバ装置にて、前記第１のプロトコルと前記第２のプロトコルとの相互変換を行う変換処理を実行することを特徴とする、ネットワーク監視方法。
【請求項１１】
前記サーバ装置が、前記変換処理において、前記クライアント装置から前記光伝送装置への第１のデータを前記第２のプロトコルにてカプセル化し、前記光伝送装置から前記クライアント装置への第２のデータを前記第１のプロトコルでカプセル化解除する、請求項１０に記載のネットワーク監視方法。
【請求項１２】
前記クライアント装置のＷｅｂブラウザは、前記光伝送装置へアクセスして、前記光伝送装置の詳細設定を行う、請求項１０に記載のネットワーク監視方法。
【請求項１３】
前記第１のプロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルを使用し、
前記第２のプロトコルとしてＯＳＩ（Ｏｐｅｎ  Ｓｙｓｔｅｍｓ  Ｉｎｔｅｒｃｏｎｎｅｃｔｉｏｎ）プロトコルを使用し、
ＴＣＰ／ＩＰ  ｏｖｅｒ  ＯＳＩを用いる、請求項１０に記載のネットワーク監視方法。
【請求項１４】
前記第１のプロトコルとしてＯＳＩ（Ｏｐｅｎ  Ｓｙｓｔｅｍｓ  Ｉｎｔｅｒｃｏｎｎｅｃｔｉｏｎ）プロトコルを使用し、
前記第２のプロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルを使用し、
ＯＳＩ  ｏｖｅｒ  ＴＣＩ／ＩＰを用いる、請求項１０に記載のネットワーク監視方法。
【請求項１５】
リング構成されたネットワークの光伝送装置の情報を管理するサーバ装置に、
当該サーバ装置とクライアント装置との間の第１のプロトコルと、当該サーバ装置と前記光伝送装置との間の第２のプロトコルと、の相互変換を行う変換処理を実行させるためのプログラム。
【発明の詳細な説明】
【技術分野】
【０００１】
本発明は、ネットワーク監視システム、サーバ装置及びそれらに用いるネットワーク監視方法に関し、特に、ネットワーク監視システムのサーバ装置とクライアント装置との間の通信プロトコルと、ネットワーク監視システムのサーバ装置と光伝送装置との間の通信プロトコルとが異なる通信システムにおけるネットワーク監視方法に関する。
【背景技術】
【０００２】
本発明に関連する伝送ネットワークとしては、複数のＲＯＡＤＭ（Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）装置と光ファイバでリング状につないだ構成とし、波長多重方式とパス管理の技術とを組み合わせることで、超高速、大容量のネットワークとするものがある。ＲＯＡＤＭ装置は光伝送装置の一種である。
上記のようなネットワークを監視するシステムとしては、ＲＯＡＤＭ装置に、第１のネットワーク監視装置（サーバ装置）と第２のネットワーク監視装置（クライアント装置）とを接続する。第１のネットワーク監視装置（サーバ装置）はＲＯＡＤＭ装置の情報を管理する。第２のネットワーク監視装置（クライアント装置）は、ＲＯＡＤＭ装置の設定変更、装置状況（警報等）の確認を行う。
この場合、第１のネットワーク監視装置（サーバ装置）と第２のネットワーク監視装置（クライアント装置）との間には第１のプロトコルを使用し、第１のネットワーク監視装置（サーバ装置）と光伝送装置（ＲＯＡＤＭ装置）との間には第２のプロトコルを使用する。第１のプロトコルと第２のプロトコルとは互いに異なる。第１のプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルであり、第２のプロトコルは、例えば、ＯＳＩ（Ｏｐｅｎ  Ｓｙｓｔｅｍｓ  Ｉｎｔｅｒｃｏｎｎｅｃｔｉｏｎ）プロトコルである。
ここで、ＯＳＩプロトコルの階層構造としては、例えば、次のような１層目から７層目までの構造を有するものがある。１層目はＬ１（レイヤ１）である。２層目はＬ２（レイヤ２）である。３層目はＣＬＮＰ（Ｃｏｎｎｅｃｔｉｏｎｌｅｓｓ  Ｎｅｔｗｏｒｋ  Ｐｒｏｔｏｃｏｌ）である。４層目はＴＰ４（Ｔｒａｎｓｐｏｒｔ  Ｐｒｏｔｏｃｏｌ  Ｃｌａｓｓ  ４）である。５層目はＣＯＳＰ（Ｃｏｎｎｅｃｔｉｏｎ  Ｏｒｉｅｎｔｅｄ  Ｓｅｓｓｉｏｎ  Ｐｒｏｔｏｃｏｌ）である。６層目はＣＯＰＰ（Ｃｏｎｎｅｃｔｉｏｎ  Ｏｒｉｅｎｔｅｄ  Ｐｒｅｓｅｎｔａｔｉｏｎ  Ｐｒｏｔｏｃｏｌ）である。７層目はＡＣＳＥ（Ａｓｓｏｃｉａｔｉｏｎ  Ｃｏｎｔｒｏｌ  Ｓｅｒｖｉｃｅ  Ｅｌｅｍｅｎｔ）である。
また、ＩＰの階層構造としては、例えば、次のような１層目から５層目までの構造を有するものがある。１層目はＬ１（レイヤ１）である。２層目はＬ２（レイヤ２）である。３層目はＩＰ（Ｉｎｔｅｒｎｅｔ  Ｐｒｏｔｏｃｏｌ）である。４層目はＴＣＰ（Ｔｒａｎｓｍｉｓｓｉｏｎ  Ｃｏｎｔｒｏｌ  Ｐｒｏｔｏｃｏｌ）である。５層目はＨＴＴＰ（Ｈｙｐｅｒ  Ｔｅｘｔ  Ｔｒａｎｓｆｅｒ  Ｐｒｏｔｏｃｏｌ）である。
上述した伝送ネットワークでは、第２のネットワーク監視装置（クライアント装置）と第１のネットワーク監視装置（サーバ装置）との間を第１のプロトコル（ＴＣＰ／ＩＰプロトコル）、第１のネットワーク監視装置（サーバ装置）と光伝送装置との間を第２のプロトコル（ＯＳＩプロトコル）という異なるプロトコルを使用しているため、ＯＳＩプロトコル（第２のプロトコル）を経由する光伝送装置に対しＷｅｂブラウザを使用したサービスを提供することができないという問題がある。
ＯＳＩプロトコルを用いる場合には、ＨＴＴＰ（Ｈｙｐｅｒ  Ｔｅｘｔ  Ｔｒａｎｓｆｅｒ  Ｐｒｏｔｏｃｏｌ）パケットを通過させるための仕組みがない。そのため、光伝送装置に搭載したＷｅｂサーバ機能を使用することができない。そのため、光伝送装置へのアクセスを実行するための専用ソフトウェアを新たに開発することになり、その開発費が増大することとなる。ユーザについても専用ソフトウェアの購入費用が必要となり、初期コストを下げられない要因になっている。
また、ユーザが保守する際に、操作する保守端末に専用ソフトウェアが搭載されていないと、光伝送装置にアクセス出来ない。そのため、保守対応時に常に専用ソフトウェアを搭載したＰＣ（Ｐｅｒｓｏｎａｌ  ｃｏｍｐｕｔｅｒ）を準備する必要がある。その上、光伝送装置のバージョンにあった専用ソフトウェアを準備しておかなければ、光伝送装置と専用ソフトウェアのバージョンとの不一致が発生し、光伝送装置にアクセスできないという問題が発生する。
尚、光伝送ネットワークとしては、例えば、特開２００４−０３２６３３号公報（以下、「特許文献１」と呼ぶ。）に開示された技術がある。特許文献１は、ＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）サービスを提供すべきシステムの数によらず、少数の監視装置で高品質のＯＡＭサービスを提供することの可能な伝送ネットワーク監視システムおよび伝送ネットワークの監視方法を低コストで提供している。
上記特許文献１に記載の光伝送ネットワークでは、第２のネットワーク監視装置（クライアント装置）と第１のネットワーク監視装置（サーバ装置）との間、第１のネットワーク監視装置（サーバ装置）と光伝送装置との間にそれぞれ異なるプロトコルを使用していない。その結果、特許文献１に開示された技術では、異なるプロトコルを使用する際の問題を解決することができない。
また、特開平１１−２７５１７０号公報（対応米国特許第６，４００，７２９号）（以下、「特許文献２」と呼ぶ。）は、異なるプロトコルのネットワーク間での円滑な情報通信を確保するプロトコル変換システムを開示している。
更に、ＷＯ２００４／０１２４１４（以下、「特許文献３」と呼ぶ。）は、異なるプロトコル下で動作するネットワーク間でデータを伝達するためのシステム及び方法を開示している。
また、特開２０００−２８６８４８号公報（以下、「特許文献４」と呼ぶ。）は、管理インタフェース変換部の分散配置による統合網管理方式を開示している。
【発明の開示】
【０００３】
本発明の目的は、格別の保守性の向上を図ることができるネットワーク監視システム、サーバ装置、及びそれらに用いるネットワーク監視方法を提供することにある。
本発明の代表的な態様によれば、ネットワーク監視システムは、リング構成されたネットワークの光伝送装置と、この光伝送装置の情報を管理するサーバ装置と、光伝送装置の設定変更及び装置状況の確認を少なくとも行うクライアント装置と、を備える。ネットワーク監視システムは、サーバ装置とクライアント装置との間で第１のプロトコルを使用し、サーバ装置と光伝送装置との間で第２のプロトコルを使用する。第１のプロトコルと第２のプロトコルとがそれぞれ異なる。サーバ装置は、第１のプロトコルと第２のプロトコルとの相互変換を行う変換部を有する。
本発明の他の代表的な態様によれば、サーバ装置は、リング構成されたネットワークの光伝送装置の情報を管理するサーバ装置であって、当該サーバ装置とクライアント装置との間の第１のプロトコルと、当該サーバ装置と光伝送装置との間の第２のプロトコルと、の相互変換を行う変換部を有する。
本発明のさらに他の代表的な態様によれば、ネットワーク監視方法は、リング構成されたネットワークの光伝送装置と、この光伝送装置の情報を管理するサーバ装置と、光伝送装置の設定変更及び装置状況の確認を少なくとも行うクライアント装置と、からなるネットワークに用いられる。ネットワークは、サーバ装置とクライアント装置との間で第１のプロトコルを使用し、サーバ装置と光伝送装置との間で第２のプロトコルを使用する。第１のプロトコルと第２のプロトコルとがそれぞれ異なる。サーバ装置は、第１のプロトコルと第２のプロトコルとの相互変換を行う変換処理を実行する。
本発明のもっと他の代表的な態様によれば、プログラムは、リング構成されたネットワークの光伝送装置の情報を管理するサーバ装置に、当該サーバ装置とクライアント装置との間の第１のプロトコルと、当該サーバ装置と光伝送装置との間の第２のプロトコルと、の相互変換を行う変換処理を実行させる。
【図面の簡単な説明】
【０００４】
図１は本発明の実施例によるネットワーク監視システムの構成を示すブロック図である。
図２は図１に示したネットワーク監視システムに使用される、第２のネットワーク監視装置（クライアント装置）上のＷｅｂブラウザから光伝送装置に対して接続を実施する際の詳細を示す図である。
図３は図１に示したネットワーク監視システムに使用される、第２のネットワーク監視装置（クライアント装置）上のＷｅｂブラウザから光伝送装置に対して接続を実施する際の動作を示すシーケンスチャートである。
【発明を実施するための最良の形態】
【０００５】
以下、添付図面を参照して、本発明によるネットワーク監視システム、サーバ装置、ネットワーク監視方法、及びプログラムの実施例を説明する。
図１は、本発明の一実施例によるネットワーク監視システムの構成を示すブロック図である。図示のネットワーク監視システムは、第１および第２のサーバ装置１−１、１−２と、第１および第２のクライアント装置２−１，２−２と、第１乃至第４の光伝送装置３−１、３−２、３−３、３−４とから構成されている。第１および第２のサーバ装置１−１、１−２の各々は、第１のネットワーク監視装置とも呼ばれ、第１および第２のクライアント装置２−１，２−２の各々は、第２のネットワーク監視装置とも呼ばれる。光伝送装置３−１〜３−４の各々は、例えば、ＲＯＡＤＭ（Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）装置から構成される。これらサーバ装置、クライアント装置、光伝送装置の数は、図１に示したものに限定されない。
第１および第２のクライアント装置（第２のネットワーク監視装置）２−１、２−２は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ネットワーク１００を介して第１および第２のサーバ装置（第１のネットワーク監視装置）１−１、１−２に接続されている。第１および第２のサーバ装置（第１のネットワーク監視装置）１−１、１−２は、ＯＳＩ（Ｏｐｅｎ  Ｓｙｓｔｅｍｓ  Ｉｎｔｅｒｃｏｎｎｅｃｔｉｏｎ）プロトコルにて第１乃至第４の光伝送装置３−１〜３−４に接続されている。尚、図示の例では、ＴＣＰ／ＩＰネットワーク１００上のＴＣＰ／ＩＰプロトコルは第１のプロトコルとも呼ばれ、ＯＳＩプロトコルは第２のプロトコルとも呼ばれる。
第１および第２のクライアント装置２−１、２−２は、第１乃至第４の光伝送装置３−１〜３−４の設定変更、装置状況（警報等）の確認を行う。第１および第１のサーバ装置１−１、１−２は、リング構成されているネットワークの第１乃至第４の光伝送装置３−１〜３−４の情報をデータベース（図示せず）にて管理している。
第１および第２のクライアント装置２−１、２−２から第１および第２のサーバ装置１−１、１−２までは、ＨＴＴＰ（Ｈｙｐｅｒ  Ｔｅｘｔ  Ｔｒａｎｓｆｅｒ  Ｐｒｏｔｏｃｏｌ）（ＴＣＰ／ＩＰ）経由で第１乃至第４の光伝送装置３−１〜３−４の詳細設定用のＷｅｂ画面要求データを送信する。
第１および第２のサーバ装置１−１、１−２の各々は、Ｗｅｂ画面要求データを受信後、ＯＳＩプロトコル（第２のプロトコル）のネットワーク上の第１乃至第４の光伝送装置３−１〜３−４にＷｅｂ画面要求データを送信するために、受信したＨＴＴＰ（ＴＣＰ／ＩＰ）のパケットをＯＳＩプロトコルでカプセリング化する。第１および第２のサーバ装置１−１、１−２の各々は、カプセル化したパケット（ＯＳＩプロトコルパケット）を第１乃至第４の光伝送装置３−１〜３−４に送信する。
第１乃至第４の光伝送装置３−１〜３−４の各々は、受信したＯＳＩプロトコルパケットからＯＳＩヘッダを取り外し、ＨＴＴＰ（ＴＣＰ／ＩＰ）パケットを取得する。第１乃至第４の光伝送装置３−１〜３−４は、その内部のＷｅｂサーバ機能で、ＨＴＴＰ（ＴＣＰ／ＩＰ）パケットの要求内容を解析し、要求されている第１乃至第４の光伝送装置３−１〜３−４の詳細設定の表示画面データをＨＴＴＰ（ＴＣＰ／ＩＰ）パケットで作成する。
第１乃至第４の光伝送装置３−１〜３−４の各々は、作成したＨＴＴＰ（ＴＣＰ／ＩＰ）パケットをＯＳＩプロトコルでカプセリング化し、カプセル化したパケット（応答データ）を第１および第２のサーバ装置１−１、１−２へ送信する。
第１および第２のサーバ装置１−１、１−２の各々では、受信した応答データからＯＳＩプロトコルヘッダを取り外して（すなわち、カプセル化解除して）ＨＴＴＰ（ＴＣＰ／ＩＰ）パケットを取得する。その後、第１および第２のサーバ装置１−１、１−２の各々は、そのＨＴＴＰ（ＴＣＰ／ＩＰ）パケットを要求元の第１および第２のクライアント装置２−１、２−２へ送信する。
本実施例では、１つの第１のネットワーク監視装置（サーバ装置）に対して、複数の第２のネットワーク監視装置（クライアント装置）が存在するため、第２のネットワーク監視装置（クライアント装置）から要求データを受け付けた時点のＴＣＰ／ＩＰポートと要求データを送信したＯＳＩポートとの対応付けの仕組みを設けることで機能を実現する。
本発明に関連する伝送ネットワークでは、上述したように、第２のネットワーク監視装置（クライアント装置）と第１のネットワーク監視装置（サーバ装置）との間をＴＣＰ／ＩＰプロトコル（第１のプロトコル）、第１のネットワーク監視装置（サーバ装置）と光伝送装置との間をＯＳＩプロトコル（第２のプロトコル）という異なるプロトコルを使用していた。そのため、ＯＳＩプロトコル（第２のプロトコル）を経由する第１乃至第４の光伝送装置３−１〜３−４に対してＷｅｂブラウザを使用したサービスを提供することができない。
これに対して、本発明の実施例では、第１のネットワーク監視装置（サーバ装置）１−１、１−２上にＴＣＰ／ＩＰプロトコル（第１のプロトコル）とＯＳＩプロトコル（第２のプロトコル）との相互変換を行う機能（変換部）を組み込むことで、ＯＳＩプロトコル（第２のプロトコル）を経由する第１乃至第４の光伝送装置３−１〜３−４に対してＷｅｂブラウザを使用したサービスを提供することができる。
これによって、本発明の実施例では、ＯＳＩプロトコル（第２のプロトコル）上でＨＴＴＰパケットを通過させる仕組みを開発することで、保守端末（クライアント装置２−１、２−１）のＷｅｂブラウザから第１乃至第４の光伝送装置３−１〜３−４へのアクセスを行うことができる。また、本実施例では光伝送装置のＷｅｂサーバ機能を使用するため、専用ソフトウェアのように、光伝送装置とのバージョン不一致が発生することもなくなり、格段の保守性の向上を図ることができる。
図１においては、第２のネットワーク監視装置（第１のクライアント装置）２−１から、Ｗｅｂブラウザ２１−１によって第１の光伝送装置３−１に対して接続を実施する流れを示している。
本実施例では、第２のネットワーク監視装置（第１のクライアント装置）２−１を、第２のネットワーク監視装置（第１のクライアント装置）２−１上で起動するＷｅｂブラウザ２１−１により、第１のネットワーク監視装置（第１のサーバ装置）１−１を経由してＯＳＩプロトコル（第２のプロトコル）のネットワーク上に存在する第１の光伝送装置３−１に接続し、第１の光伝送装置３−１の詳細設定を可能とする仕組みを実現する。
第２のネットワーク監視装置（第１のクライアント装置）２−１から第１のネットワーク監視装置（第１のサーバ装置）１−１までは、ＨＴＴＰ（ＴＣＰ／ＩＰ）経由で第１の光伝送装置３−１の詳細設定用のＷｅｂ画面要求データを送信する。
第１のネットワーク監視装置（第１のサーバ装置）１−１は、第２のネットワーク監視装置（第１のクライアント装置）２−１からＷｅｂ画面要求データを受信した後、ＯＳＩプロトコル（第２のプロトコル）のネットワーク上の第１の光伝送装置３−１に要求データを送信するために、受信したＨＴＴＰ（ＴＣＰ／ＩＰ）パケットをＯＳＩプロトコル（第２のプロトコル）でカプセリング化する。第１のネットワーク監視装置（第１のサーバ装置）１−１は、カプセル化したパケットを第１の光伝送装置３−１に送信する。
第１の光伝送装置３−１では、受信したＯＳＩプロトコル（第２のプロトコル）のパケットからＯＳＩヘッダを取外し、ＨＴＴＰ（ＴＣＰ／ＩＰ）パケットを取得する。第１の光伝送装置３−１内のＷｅｂサーバ機能は、ＨＴＴＰ（ＴＣＰ／ＩＰ）パケットの要求内容を解析し、要求されている第１の光伝送装置３−１の詳細設定の表示画面データをＨＴＴＰ（ＴＣＰ／ＩＰ）パケットで作成する。
第１の光伝送装置３−１では、作成したＨＴＴＰ（ＴＣＰ／ＩＰ）パケットをＯＳＩプロトコル（第２のプロトコル）でカプセリング化して、カプセル化したパケット（応答データ）を第１のネットワーク監視装置（第１のサーバ装置）１−１へ送信する。
第１のネットワーク監視装置（第１のサーバ装置）１−１では、受信した応答データからＯＳＩプロトコルヘッダを取り外して（すなわち、カプセル化解除して）、ＨＴＴＰ（ＴＣＰ／ＩＰ）パケットを取得する。その後、第１のネットワーク監視装置（第１のサーバ装置）１−１は、そのＨＴＴＰ（ＴＣＰ／ＩＰ）パケットを要求元の第２のネットワーク監視装置（第１のクライアント装置）２−１へ送信する。
図２は本発明の実施の形態における、第２のネットワーク監視装置（クライアント装置）２上のＷｅｂブラウザから２１から光伝送装置３に対して接続を実施する際の詳細を示す図である。
ここで、図２において、ＯＳＩプロトコルの階層構造は、次のような１層目から７層目までの構造を有する。１層目はＬ１（レイヤ１）である。２層目はＬ２（レイヤ２）である。３層目はＣＬＮＰ（Ｃｏｎｎｅｃｔｉｏｎｌｅｓｓ  Ｎｅｔｗｏｒｋ  Ｐｒｏｔｏｃｏｌ）である。４層目はＴＰ４（Ｔｒａｎｓｐｏｒｔ  Ｐｒｏｔｏｃｏｌ  Ｃｌａｓｓ  ４）である。５層目はＣＯＳＰ（Ｃｏｎｎｅｃｔｉｏｎ  Ｏｒｉｅｎｔｅｄ  Ｓｅｓｓｉｏｎ  Ｐｒｏｔｏｃｏｌ）である。６層目はＣＯＰＰ（Ｃｏｎｎｅｃｔｉｏｎ  Ｏｒｉｅｎｔｅｄ  Ｐｒｅｓｅｎｔａｔｉｏｎ  Ｐｒｏｔｏｃｏｌ）である。７層目はＡＣＳＥ（Ａｓｓｏｃｉａｔｉｏｎ  Ｃｏｎｔｒｏｌ  Ｓｅｒｖｉｃｅ  Ｅｌｅｍｅｎｔ）である。
一方、ＩＰの階層構造は、次のような１層目から５層目までの構造を有する。１層目はＬ１（レイヤ１）である。２層目はＬ２（レイヤ２）である。３層目はＩＰ（Ｉｎｔｅｒｎｅｔ  Ｐｒｏｔｏｃｏｌ）である。４層目はＴＣＰ（Ｔｒａｎｓｍｉｓｓｉｏｎ  Ｃｏｎｔｒｏｌ  Ｐｒｏｔｏｃｏｌ）である。５層目はＨＴＴＰ（Ｈｙｐｅｒ  Ｔｅｘｔ  Ｔｒａｎｓｆｅｒ  Ｐｒｏｔｏｃｏｌ）である。
また、図２において、第２のネットワーク監視装置（クライアント装置）２は、Ｗｅｂブラウザ２１、Ｗｅｂアクセス用クライアントソフト２２、およびネットワーク監視装置クライアントソフトウェア２３を備えている。
第１のネットワーク監視装置（サーバ装置）１は、Ｗｅｂアクセス用サーバソフト１１、ＯＳＩカプセル化装置１２、およびネットワーク監視装置サーバソフトウェア１３を備えている。
光伝送装置３は、ＯＳＩカプセル化装置３１、制御モジュール３２、外部通信用インタフェース（ＩＦ）３３、および主信号パッケージ（ＰＫＧ）３４を備えている。
図３は、本発明の実施の形態における、第２のネットワーク監視装置（クライアント装置）２上のＷｅｂブラウザ２１から光伝送装置３に対して接続を実施する際の動作を示すシーケンスチャートである。
以下、図２及び図３を参照して、本発明の実施の形態における、第２のネットワーク監視装置（クライアント装置）２上のＷｅｂブラウザ２１から光伝送装置３に対して接続を実施する際の動作について説明する。
光伝送装置３を管理している第２のネットワーク監視装置（クライアント装置）２は、ネットワーク監視装置クライアントソフトウェア２３にてメニュー選択を実行することで、Ｗｅｂアクセス用クライアントソフト２２に対してメッセージが通知される。
通知を受けたＷｅｂアクセス用クライアントソフト２２では、第２のネットワーク監視装置（クライアント装置）２上で詳細設定を変更後、参照する光伝送装置３のシンボル情報から対象装置の情報を取得し、Ｗｅｂブラウザ２１を起動する。Ｗｅｂブラウザ２１からは、第１のネットワーク監視装置（サーバ装置）１に対して、ＨＴＴＰ（ＴＣＰ／ＩＰ）経由で光伝送装置３の詳細設定用のＷｅｂ画面要求データを送信する（図３のａ１）。
第１のネットワーク監視装置（サーバ装置）１上において、Ｗｅｂアクセス用サーバソフト１１は、ネットワーク監視装置サーバソフトウェア１３にアクセスすることで、指定された光伝送装置３のＮＳＡＰ（Ｎｅｔｗｏｒｋ  Ｓｅｒｖｉｃｅ  Ａｃｃｅｓｓ  Ｐｏｉｎｔ）アドレス値を解決し、ＯＳＩプロトコル上の４層目［ＴＰ４（Ｔｒａｎｓｐｏｒｔ  Ｐｒｏｔｏｃｏｌ  Ｃｌａｓｓ  ４）］を用いて光伝送装置３との接続を実施する。
接続完了後、第１のネットワーク監視装置（サーバ装置）１は、第２のネットワーク監視装置（クライアント装置）２からの受信データ（光伝送装置３の詳細設定用のＷｅｂ画面要求データ）をＯＳＩカプセル化装置１２にてカプセル化し、カプセル化したデータ（ＯＳＩプロトコルデータ）を光伝送装置３に送信する（図３のａ２、ａ３）。
光伝送装置３では、ＯＳＩプロトコルを管理している制御モジュール３２でＯＳＩプロトコルデータを受信し、その受信したＯＳＩプロトコルデータから４層目（ＴＰ４）のデータを取り出し、ＨＴＴＰ（ＴＣＰ／ＩＰ）パケットを取得する。
制御モジュール３２は、光伝送装置３のＷｅｂブラウザのサーバ機能を管理している外部通信用ＩＦ３３に受信データを送信する。外部通信用ＩＦ３３では、受信したＨＴＴＰ（ＴＣＰ／ＩＰ）データを解析し、ＨＴＴＰ（ＴＣＰ／ＩＰ）応答データを生成する。外部通信用ＩＦ３３は、生成した応答データを制御モジュール３２に送信する（図３のａ４，ａ５）。
制御モジュール３２は、ＨＴＴＰ（ＴＣＰ／ＩＰ）応答データをＯＳＩカプセル化装置３１にてＯＳＩプロトコルでカプセル化し、カプセル化した応答データをＯＳＩプロトコルを使用して第１のネットワーク監視装置（サーバ装置）１に送信する（図３のａ６）。
第１のネットワーク監視装置（サーバ装置）１では、ＯＳＩカプセル化装置１２にて受信した応答データからＯＳＩプロトコルヘッダを取り出して（すなわち、カプセル化解除して）、ＨＴＴＰ（ＴＣＰ／ＩＰ）パケットを取得する。その後、第１のネットワーク監視装置（サーバ装置）１は、その取得したＨＴＴＰ（ＴＣＰ／ＩＰ）パケットを、要求データを送信した要求元の第２のネットワーク監視装置（クライアント装置）２へ送信する（図３のａ７，ａ８）。
第２のネットワーク監視装置（クライアント装置）２では、受信したＨＴＴＰ（ＴＣＰ／ＩＰ）データを基にＷｅｂブラウザ２１の画面上にデータを表示する。
このように、本実施の形態では、第１のネットワーク監視装置（サーバ装置）１において、第２のネットワーク監視装置（クライアント装置）２からのＨＴＴＰ（ＴＣＰ／ＩＰ）のパケットを、ＯＳＩプロトコルの４層目（ＴＰ４）に取り込んで（すなわち、カプセル化して）、取り込んだデータを光伝送装置３に伝送している。
逆に、光伝送装置３からの応答データについては、第１のネットワーク監視装置（サーバ装置）１において、ＯＳＩプロトコルの４層目（ＴＰ４）からＨＴＴＰ（ＴＣＰ／ＩＰ）パケットを取り出し（すなわち、カプセル化解除し）、その取り出したパケットをＴＣＰ／ＩＰにて第２のネットワーク監視装置（クライアント装置）２に伝送している。尚、ＨＴＴＰ（ＴＣＰ／ＩＰ）パケットのＯＳＩプロトコルの４層目（ＴＰ４）への取り込み、ＯＳＩプロトコルの４層目（ＴＰ４）からＨＴＴＰ（ＴＣＰ／ＩＰ）パケットの取出しについては、公知の方法で実現することができる。
よって、本実施の形態では、第１のネットワーク監視装置（サーバ装置）１上にＴＣＰ／ＩＰプロトコル（第１のプロトコル）とＯＳＩプロトコル（第２のプロトコル）との相互変換を行う機能（ＯＳＩカプセル化装置１２）を組み込むことで、ＯＳＩプロトコル（第２のプロトコル）を経由する光伝送装置３に対してＷｅｂブラウザを使用したサービスを提供することができる。
上記のように、本発明は、ＴＣＰ／ＩＰプロトコル（第１のプロトコル）とＯＳＩプロトコル（第２のプロトコル）の相互変換を実現できることを特徴とする。つまり、本発明は、ＯＳＩプロトコル（第２のプロトコル）のネットワーク上に存在する光伝送装置３に対して、第２のネットワーク監視装置（クライアント装置）２上で起動するＷｅｂブラウザ２１により第１のネットワーク監視装置（サーバ装置）１を経由して光伝送装置３に接続し、光伝送装置３の詳細設定を可能とする仕組みを実現している。
以上、実施例を参照して本願発明を説明したが、本願発明は上記実施例に限定されるものではない。本願発明の構成や詳細には、本願発明のスコープ内で当業者が理解し得る様々な変更をすることができる。例えば、上記の実施の形態において、ＨＴＴＰ（ＴＣＰ／ＩＰ）パケットを使用しているが、ＨＴＴＰ（ＴＣＰ／ＩＰ）パケットの代わりにＴＬ１コマンドを使用することも可能である。その場合には、ＴＬ１コマンドをＯＳＩプロトコル上の７層目（ＡＣＳＥ）に取り込む（カプセル化する）こととなる。また、上記の実施例において、ＴＣＰ／ＩＰ  ｏｖｅｒ  ＯＳＩを用いているが、逆変換の機能をサポートすることで、ＯＳＩ  ｏｖｅｒ  ＴＣＰ／ＩＰを提供することが可能である。これは、第２のネットワーク監視装置（クライアント装置）と第１のネットワーク監視装置（サーバ装置）との間がＯＳＩプロトコル、第１のネットワーク監視装置（サーバ装置）と光伝送装置との間がＴＣＰ／ＩＰプロトコルの組み合わせについても、第２のネットワーク監視装置（クライアント装置）から光伝送装置に接続するための仕組みを提供することができる。
この出願は、２００７年１０月１０日に出願された、日本特許出願第２００７−２６３８６５号からの優先権を基礎とし、その利益を主張するものであり、その開示はここに全体として参考文献として組み込まれる。
【図１】
2009048163.tif 000003
【図２】
2009048163.tif 000004
【図３】
2009048163.tif 000005
【国際調査報告】
2009048163.tif 000006
2009048163.tif 000007